(57)【特許請求の範囲】
【請求項１】
入力に用いられるインプットシート上に予め用意されている入力項目を書き込む領域に対して加筆された入力情報を、前記インプットシートを読み取ったイメージ情報から取得する入力情報取得部と、
前記インプットシートにおける前記入力項目を書き込む領域内に加筆された入力情報の表示位置がフォーマットシート上に決められていて、前記インプットシートに続けて読み取った当該フォーマットシートのイメージ情報をフォーマット情報として取得するフォーマット情報取得部と、
前記フォーマット情報における前記表示位置と、前記インプットシートにおける前記入力項目を書き込む領域とを対応付ける対応付け部と、
前記対応付け部での対応付けの結果に応じて、前記入力項目を書き込む領域内に加筆された入力情報を前記フォーマット情報における前記表示位置に含めて成形して記録するデータ記録部と、
を備え、
前記フォーマット情報取得部は、前記フォーマットシートにおける前記入力情報の表示位置に対し、前記入力情報の表示を許可するか否かを選択可能なコマンドを取得し、
前記データ記録部は、前記コマンドの前記入力情報の表示の許可／不許可、および、前記対応付け部での対応付けの結果に応じて、前記入力項目を書き込む領域内に加筆された入力情報を前記フォーマット情報における前記表示位置に含めて成形して記録する、
ことを特徴とする情報処理装置。
【請求項２】
前記インプットシートにおける前記入力項目を書き込む領域内に加筆された入力情報を含んで成形された前記フォーマット情報を、表示部に表示するデータ表示部を更に備える、
ことを特徴とする請求項１記載の情報処理装置。
【請求項３】
コンピュータを、
入力に用いられるインプットシート上に予め用意されている入力項目を書き込む領域に対して加筆された入力情報を、前記インプットシートを読み取ったイメージ情報から取得する入力情報取得部と、
前記インプットシートにおける前記入力項目を書き込む領域内に加筆された入力情報の表示位置がフォーマットシート上に決められていて、前記インプットシートに続けて読み取った当該フォーマットシートのイメージ情報をフォーマット情報として取得するフォーマット情報取得部と、
前記フォーマット情報における前記表示位置と、前記インプットシートにおける前記入力項目を書き込む領域とを対応付ける対応付け部と、
前記対応付け部での対応付けの結果に応じて、前記入力項目を書き込む領域内に加筆された入力情報を前記フォーマット情報における前記表示位置に含めて成形して記録するデータ記録部と、
として機能させ、
前記フォーマット情報取得部は、前記フォーマットシートにおける前記入力情報の表示位置に対し、前記入力情報の表示を許可するか否かを選択可能なコマンドを取得し、
前記データ記録部は、前記コマンドの前記入力情報の表示の許可／不許可、および、前記対応付け部での対応付けの結果に応じて、前記入力項目を書き込む領域内に加筆された入力情報を前記フォーマット情報における前記表示位置に含めて成形して記録する、
ことを特徴とするプログラム。
【請求項４】
前記インプットシートにおける前記入力項目を書き込む領域内に加筆された入力情報を含んで成形された前記フォーマット情報を、表示部に表示するデータ表示部として前記コンピュータを機能させる、
ことを特徴とする請求項３記載のプログラム。
【発明の詳細な説明】
【技術分野】
【０００１】
本発明は、情報処理装置およびプログラムに関する。
【背景技術】
【０００２】
特許文献１に開示されている情報処理装置は、編集作業を容易にするために、原稿となる画像データを表示しておき、その画面にスタイラスペン等で手書き入力を行って編集作業を行うものである。より具体的には、特許文献１には、あらかじめ登録している編集記号に近いものをコマンドとして認識し、追加分を仮名漢字変換で入力可能にする技術が記載されている。
【０００３】
このように特許文献１に開示されている情報処理装置によれば、従来から紙原稿で用いられてきた編集記号をコマンドとして電子機器の表示画面に対して手書き入力を行うことにより、編集作業を実行することができるようになっている。
【０００４】
【特許文献１】特許３３９８９８１号公報
【発明の開示】
【発明が解決しようとする課題】
【０００５】
しかしながら、特許文献１に開示されている情報処理装置によれば、編集対象領域を指示するにも制限があり、編集作業の軽減化を図ることが難しいという問題がある。
【０００６】
本発明は、上記に鑑みてなされたものであって、編集作業の軽減化を図ることができる情報処理装置およびプログラムを提供することを目的する。
【課題を解決するための手段】
【０００７】
上述した課題を解決し、目的を達成するために、請求項１にかかる発明の情報処理装置は、入力に用いられるインプットシート上に予め用意されている入力項目を書き込む領域に対して加筆された入力情報を、前記インプットシートを読み取ったイメージ情報から取得する入力情報取得部と、前記インプットシートにおける前記入力項目を書き込む領域内に加筆された入力情報の表示位置がフォーマットシート上に決められていて、前記インプットシートに続けて読み取った当該フォーマットシートのイメージ情報をフォーマット情報として取得するフォーマット情報取得部と、前記フォーマット情報における前記表示位置と、前記インプットシートにおける前記入力項目を書き込む領域とを対応付ける対応付け部と、前記対応付け部での対応付けの結果に応じて、前記入力項目を書き込む領域内に加筆された入力情報を前記フォーマット情報における前記表示位置に含めて成形して記録するデータ記録部と、を備え、前記フォーマット情報取得部は、前記フォーマットシートにおける前記入力情報の表示位置に対し、前記入力情報の表示を許可するか否かを選択可能なコマンドを取得し、前記データ記録部は、前記コマンドの前記入力情報の表示の許可／不許可、および、前記対応付け部での対応付けの結果に応じて、前記入力項目を書き込む領域内に加筆された入力情報を前記フォーマット情報における前記表示位置に含めて成形して記録することを特徴とする。
【００１１】
また、請求項２にかかる発明は、請求項１記載の情報処理装置において、前記インプットシートにおける前記入力項目を書き込む領域内に加筆された入力情報を含んで成形された前記フォーマット情報を、表示部に表示するデータ表示部を更に備える、ことを特徴とする。
【００１２】
また、請求項３にかかる発明のプログラムは、コンピュータを、入力に用いられるインプットシート上に予め用意されている入力項目を書き込む領域に対して加筆された入力情報を、前記インプットシートを読み取ったイメージ情報から取得する入力情報取得部と、前記インプットシートにおける前記入力項目を書き込む領域内に加筆された入力情報の表示位置がフォーマットシート上に決められていて、前記インプットシートに続けて読み取った当該フォーマットシートのイメージ情報をフォーマット情報として取得するフォーマット情報取得部と、前記フォーマット情報における前記表示位置と、前記インプットシートにおける前記入力項目を書き込む領域とを対応付ける対応付け部と、前記対応付け部での対応付けの結果に応じて、前記入力項目を書き込む領域内に加筆された入力情報を前記フォーマット情報における前記表示位置に含めて成形して記録するデータ記録部と、として機能させ、前記フォーマット情報取得部は、前記フォーマットシートにおける前記入力情報の表示位置に対し、前記入力情報の表示を許可するか否かを選択可能なコマンドを取得し、前記データ記録部は、前記コマンドの前記入力情報の表示の許可／不許可、および、前記対応付け部での対応付けの結果に応じて、前記入力項目を書き込む領域内に加筆された入力情報を前記フォーマット情報における前記表示位置に含めて成形して記録することを特徴とする。
【００１６】
また、請求項４にかかる発明は、請求項３記載のプログラムにおいて、前記インプットシートにおける前記入力項目を書き込む領域内に加筆された入力情報を含んで成形された前記フォーマット情報を、表示部に表示するデータ表示部として前記コンピュータを機能させる、ことを特徴とする。
【発明の効果】
【００１７】
請求項１，３にかかる発明によれば、入力に用いられるインプットシート上に予め用意されている入力項目を書き込む領域に対して加筆された入力情報を取得するとともに、インプットシートにおける入力項目を書き込む領域内に加筆された入力情報の表示位置が決められたフォーマット情報を取得する。そして、フォーマット情報における表示位置と、インプットシートにおける入力項目を書き込む領域との対応付けの結果に応じて、入力項目を書き込む領域内に加筆された入力情報をフォーマット情報における表示位置に含めて成形して記録する。これにより、手書き入力されたイメージデータをフォーマット情報に含めて成形して記録することができるので、編集作業の軽減化を図ることができる、という効果を奏する。また、フォーマット情報取得部は、インプットシートにおける入力項目を書き込む領域内に加筆された入力情報の表示位置が決められたフォーマットシートをインプットシートに続けて読み取り、当該フォーマットシートのイメージ情報をフォーマット情報として取得することにより、フォーマット情報の取得を容易にすることができ、編集作業の軽減化を図ることができる、という効果を奏する。
また、フォーマット情報取得部は、フォーマットシートにおける入力情報の表示位置に対し、入力情報の表示を許可するか否かを選択可能なコマンドを取得し、データ記録部は、コマンドの入力情報の表示の許可／不許可、および、対応付け部での対応付けの結果に応じて、入力項目を書き込む領域内に加筆された入力情報をフォーマット情報における表示位置に含めて成形して記録することにより、フォーマットシート上の入力予定位置、削除予定位置を手書きコマンドで指定することができる、という効果を奏する。
【００２１】
また、請求項２，４にかかる発明によれば、インプットシートにおける入力項目を書き込む領域内に加筆された入力情報を含んで成形されたフォーマット情報を、表示部に表示するデータ表示部を更に備えることにより、手書き入力されたイメージデータをフォーマット情報に含めて成形して表示することができる、という効果を奏する。
【発明を実施するための最良の形態】
【００２２】
以下に添付図面を参照して、この発明にかかる情報処理装置およびプログラムの最良な実施の形態を詳細に説明する。
【００２３】
［第１の実施の形態］
本発明の第１の実施の形態を図１ないし図１２に基づいて説明する。本実施の形態は情報処理装置としてパーソナルコンピュータを適用した例である。
【００２４】
図１は、本発明の第１の実施の形態にかかる情報処理システムの構築例を示す模式図である。本実施の形態の情報処理システムでは、コンピュータ１にＬＡＮ（Local Area Network）等のネットワーク２を介して、プリンタ３およびスキャナ４が接続されたシステムを想定しており、コンピュータ１上で作成されたデジタル文書データがネットワーク２を介してプリンタ３に送信され、送信されたデジタル文書データがプリンタ３よりハードコピー出力されるものである。また、スキャナ４を介して読み取られたデジタル文書データがネットワーク２を介してコンピュータ１に送信される。
【００２５】
次に、コンピュータ１について説明する。コンピュータ１は、一般的又は標準的なパーソナルコンピュータである。図２は、コンピュータ１のハードウェアの構成図である。コンピュータ１は、情報処理を行うＣＰＵ（Central Processing Unit）１２と、ＢＩＯＳ（Basic Input Output System）等を格納するＲＯＭ（Read Only Memory）１３と、情報を処理中に一時的に格納するＲＡＭ（Random Access Memory）１４等の一次記憶装置と、アプリケーションプログラムや処理結果等を格納する記憶部であるＨＤＤ（Hard Disk Drive）１５等の二次記憶装置と、情報を外部に格納又は配布し若しくは情報（アプリケーションプログラム等）を外部から入手するための記憶媒体であるリムーバブルメディア１６のドライブ１７と、外部の他の機器（コンピュータ１、プリンタ３、スキャナ４）と通信するためのネットワーク２に接続するためのネットワークインタフェース１８と、処理経過や処理結果等をユーザに表示する表示部であるディスプレイ１９と、操作者がコンピュータ１に命令や情報等を入力するためのキーボード２０やマウス２１等の入力部とから構成され、これらの間のデータ通信をバスコントローラ２２が調停して動作している。
【００２６】
なお、リムーバブルメディア１６としては、フレキシブルディスク、ハードディスク、磁気テープ等のような磁気的な記憶媒体、ＭＯのような光磁気的な記憶媒体、ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ等のような光学的な記憶媒体、半導体メモリ等、各種の記憶媒体が適用できる。
【００２７】
データ送信は、コンピュータ１のネットワークインタフェース１８へとデータを送ることにより、ネットワークインタフェース１８がネットワーク２へと信号を出力する。また、ネットワークインタフェース１８が受け取った信号については、ネットワークインタフェース１８において必要かどうかの判断がなされ、必要なデータであれば取り込み、不必要であれば破棄する、というような処理が行われる。すなわち、あらゆるデータの送受信は、すべてネットワークインタフェース１８を経由して行われることになる。
【００２８】
一般的に、このようなコンピュータ１ではユーザが電源を投入すると、ＣＰＵ１２はＲＯＭ１３内のＢＩＯＳに含まれるローダーというプログラムを起動させ、ＨＤＤ１５からオペレーティングシステム（ＯＳ）という当該コンピュータ１のハードウェアとソフトウェアとを管理するプログラムをＲＡＭ１４に読み込む。ＯＳは起動すると、ユーザの操作に応じてアプリケーションプログラムの起動、情報の読み込み、保存等をサポートする。代表的なＯＳとしては、Ｗｉｎｄｏｗｓ（登録商標）等が知られている。これらのＯＳ上で走るプログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００２９】
また、一般的には、コンピュータ１のＨＤＤ１５にインストールされるアプリケーションプログラムは、リムーバブルメディア１６に記録され、このリムーバブルメディア１６に記録されたアプリケーションプログラムがＨＤＤ１５にインストールされる。このため、リムーバブルメディア１６も、アプリケーションプログラムを記憶する記憶媒体となり得る。さらには、アプリケーションプログラムは、例えばネットワークインタフェース１８を介して外部から取り込まれ、ＨＤＤ１５にインストールされても良い。
【００３０】
コンピュータ１は、ＯＳ上で動作するアプリケーションプログラムが起動すると、このアプリケーションプログラムに従い、ＣＰＵ１２が各種の演算処理を実行して各部を集中的に制御する。
【００３１】
次に、コンピュータ１のＣＰＵ１２が実行する各種の演算処理のうち、本実施の形態の特長的な処理について以下に説明する。概略的には、本実施の形態の特長的な処理は、インプットシート１００（図３参照）と、フォーマットシート２００（図４参照）とをスキャナ４を介して読み込み、インプットシート１００に手書き入力されたイメージデータをフォーマットに含めて成形して記録するようにしたものである。このように手書き入力をインプットシートというイメージ情報入力とフォーマットシートという成形情報とに分離し、編集作業情報をフォーマットシート２００に制限することにより、手書きコマンドでの利便性を向上させることができ、編集作業の軽減化を図ることができる。
【００３２】
なお、インプットシート１００およびフォーマットシート２００は、プリンタ３から印刷するものであっても良いし、既製品をそのまま用いるものであっても良い。
【００３３】
コンピュータ１は、アプリケーションプログラムとして、情報編集プログラムをＨＤＤ１５に記憶している。すなわち、コンピュータ１は、ＯＳ上で動作する情報編集プログラムが起動すると、この情報編集プログラムに従い、ＣＰＵ２が各部を制御して情報編集処理を実行する。図５は、コンピュータ１の情報編集処理にかかる機能構成を示すブロック図である。
【００３４】
［情報編集処理］
ここで、情報編集処理について説明する。図５に示すように、コンピュータ１は、ＣＰＵ１２がＯＳ上で動作する情報編集プログラムに従うことにより、入力情報取得部３１と、フォーマット情報取得部３２と、対応付け部３３と、データ記録部３４と、データ表示部３５と、を備えている。
【００３５】
入力情報取得部３１は、スキャナ４を介して図３に示すインプットシート１００を読み取り、インプットシート１００上に手書きで加筆された情報をイメージ情報として取得する。より詳細には、図３に示すように、インプットシート１００上には入力項目を書き込む矩形領域１０１〜１０４が用意されており、入力情報取得部３１は、インプットシート１００の矩形領域１０１〜１０４内に加筆された情報をイメージ情報として取得する。インプットシート１００の矩形領域１０１〜１０４内の加筆情報は、インプットシート１００の画像情報との差分を取ることにより抽出可能である。
【００３６】
フォーマット情報取得部３２は、スキャナ４を介して図４に示すフォーマットシート２００を読み取り、フォーマットシート２００のイメージ情報をフォーマット情報として取得する。フォーマットシート２００は、インプットシート１００の矩形領域１０１〜１０４内に加筆された情報の表示位置を決めるものである。すなわち、図４に示すように、フォーマットシート２００上には、矩形領域２０１〜２０４が用意されており、フォーマット情報取得部３２は、矩形領域を、インプットシート１００の矩形領域１０１〜１０４内に加筆された情報の表示位置として識別する。
【００３７】
なお、フォーマット情報取得部３２は、図６に示すように、点線で囲まれた矩形領域を、インプットシート１００の矩形領域１０１〜１０４内に加筆された情報の表示位置として識別するようにしても良い。これにより、加筆情報の表示位置を確実に識別することができるようになる。
【００３８】
対応付け部３３は、フォーマットシート２００の矩形領域２０１〜２０４と、インプットシート１００の矩形領域１０１〜１０４とを対応付ける。このような対応付けは、フォーマットシート２００およびインプットシート１００の各領域を、スキャン順にそれぞれ対応付けるようにすれば良い。例えば、フォーマットシート２００が左上よりスキャンされるものとすると、左側にある矩形領域１０１から対応付けられ、また、矩形領域２０２、２０３、２０４の順に上から下に対応付けられることになる。
【００３９】
なお、フォーマットシート２００の矩形領域２０１〜２０４と、インプットシート１００の矩形領域１０１〜１０４との対応付け手法としては、各種の方法が考えられる。例えば、図７に示すように、インプットシート１００の矩形領域１０１〜１０４の近傍にフォーマットシート２００との対応関係を示すボックス１１１〜１１４を設けるようにしても良い。図８に示すように、ボックス１１１〜１１４には、フォーマットシート２００の各矩形領域に対応付けられたマスがそれぞれ用意されている。図９に示す例では、フォーマットシート２００の２番目の矩形領域に対応付けされている例である。
【００４０】
データ記録部３４は、インプットシート１００の矩形領域１０１〜１０４内の加筆情報とフォーマットシート２００の矩形領域２０１〜２０４とについての対応付け部３３での対応付けの結果に応じて、インプットシート１００の矩形領域１０１〜１０４内に加筆された入力情報をフォーマットシート２００の矩形領域２０１〜２０４に含めて成形し、ＲＡＭ１４やＨＤＤ１５等に記録する。
【００４１】
データ表示部３５は、対応付け部３３での対応付けの結果に応じてフォーマット情報に成形されたインプットシート１００の矩形領域１０１〜１０４内に加筆された入力情報を、ディスプレイ１９に表示する。
【００４２】
図１０は、情報編集処理の流れを示すフローチャートである。図１０に示すように、入力情報取得部３１は、インプットシート１００上に手書きで加筆された情報をイメージ情報として取得するとともに（ステップＳ１）、フォーマットシート２００をイメージ情報として取得する（ステップＳ２）。
【００４３】
次いで、対応付け部３３は、フォーマットシート２００の矩形領域２０１〜２０４と、インプットシート１００の矩形領域１０１〜１０４とを対応付け（ステップＳ３）、データ記録部３４は、対応付け部３３での対応付けの結果を、ＲＡＭ１４やＨＤＤ１５等に記録するとともに（ステップＳ４）、データ表示部３５は、対応付け部３３での対応付けの結果を、ディスプレイ１９に表示する（ステップＳ５）。
【００４４】
図１１は、ＲＡＭ１４やＨＤＤ１５等に記録される情報を示す模式図である。図１１に示すように、インプットシート１００の矩形領域１０１〜１０４内に手書き入力されたイメージデータを、フォーマットシート２００の矩形領域２０１〜２０４に含めて成形されたデータが、ＲＡＭ１４やＨＤＤ１５等に記録される。
【００４５】
このように本実施の形態によれば、入力に用いられるインプットシート１００上に予め用意されている入力項目を書き込む矩形領域１０１〜１０４に対して加筆された入力情報を取得するとともに、インプットシート１００における入力項目を書き込む矩形領域１０１〜１０４内に加筆された入力情報の表示位置が決められたフォーマット情報を取得する。そして、フォーマット情報における表示位置と、インプットシート１００における入力項目を書き込む矩形領域１０１〜１０４との対応付けの結果に応じて、入力項目を書き込む矩形領域１０１〜１０４内に加筆された入力情報をフォーマット情報における表示位置に含めて成形して記録する。これにより、手書き入力されたイメージデータをフォーマット情報に含めて成形して記録することができるので、編集作業の軽減化を図ることができる。
【００４６】
なお、本実施の形態においては、インプットシート１００（図３参照）と、フォーマットシート２００（図４参照）とをスキャナ４を介して読み込み、インプットシート１００に手書き入力されたイメージデータをフォーマットシート２００のフォーマット情報に基づいて成形して記録するようにしたが、これに限るものではない。例えば、図１２に示すように、インプットシート１００上に、フォーマット情報を選択するためのコードシンボル３００（例えば、２次元コード）を形成するようにしても良い。この場合、コードシンボル３００は、フォーマットシート２００（図４参照）と同様のイメージ情報へのリンクがシンボル化されたものである。このようなフォーマットシート２００（図４参照）と同様のイメージ情報は、ＨＤＤ１５等に記録するようにすれば良い。このようにすることで、加筆されたインプットシート１００を読み込むだけで、手書き入力されたイメージデータをフォーマット情報に基づいて成形して記録することができるようになる。
【００４７】
［第２の実施の形態］
次に、本発明の第２の実施の形態を図１３ないし図１５に基づいて説明する。なお、前述した第１の実施の形態と同じ部分は同じ符号で示し説明も省略する。
【００４８】
本実施の形態は、フォーマットシート２００上の入力予定位置、削除予定位置を手書きコマンドで指定することができるようにした点で、第１の実施の形態とは異なるものとなっている。
【００４９】
図１３ないし図１５は、入力予定位置または削除予定位置を指定するコマンドを加筆したフォーマットシート２００を示す平面図である。図１３ないし図１５に示すように、本実施の形態においては、フォーマットシート２００上の矩形領域２０１〜２０４に対して、操作者はコマンドを手書き入力可能としている。
【００５０】
図１３示す例では、矩形領域の左上に加筆された“○”が、コマンドとして機能することになる。このようなコマンド“○”は、フォーマット情報取得部３２においてフォーマットシート２００の画像情報との差分を取ることにより抽出される。また、フォーマット情報取得部３２は、抽出したコマンド“○”に対応付けられた処理内容を取得する。このようなコマンド“○”には、インプットシート１００の矩形領域１０１〜１０４内に加筆された情報の入力予定位置（表示位置）を示す処理が設定されている。これにより、データ記録部３４は、コマンド“○”が加筆された矩形領域を、インプットシート１００の矩形領域内に加筆された情報の入力予定位置（表示位置）として選択して、インプットシート１００の矩形領域１０１〜１０４内に加筆された入力情報をフォーマットシート２００の矩形領域２０１〜２０４に含めて成形し、ＲＡＭ１４やＨＤＤ１５等に記録する。
【００５１】
また、図１４示す例では、矩形領域を囲むように加筆された“○”が、コマンドとして機能することになる。このようなコマンド“○”には、インプットシート１００の矩形領域内に加筆された情報の入力予定位置（表示位置）を示す処理が設定されている。これにより、データ記録部３４は、コマンド“○”が加筆された矩形領域を、インプットシート１００の矩形領域内に加筆された情報の入力予定位置（表示位置）として選択して、インプットシート１００の矩形領域１０１〜１０３内に加筆された入力情報をフォーマットシート２００の矩形領域２０１〜２０３に含めて成形し、ＲＡＭ１４やＨＤＤ１５等に記録する。なお、データ記録部３４は、矩形領域を囲むような“○”が加筆されていない矩形領域２０４を、加筆された情報の入力予定位置からは除外する。
【００５２】
また、図１５示す例では、矩形領域に加筆された“×”が、コマンドとして機能することになる。このようなコマンド“×”には、インプットシート１００の矩形領域内に加筆された情報の削除予定位置を示す処理が設定されている。これにより、データ記録部３４は、コマンド“×”が加筆された矩形領域を、インプットシート１００の矩形領域内に加筆された情報の入力予定位置（表示位置）からは除外して、インプットシート１００の矩形領域１０１〜１０４内に加筆された入力情報をフォーマットシート２００の矩形領域２０１〜２０４に含めて成形し、ＲＡＭ１４やＨＤＤ１５等に記録する。
【００５３】
このように本実施の形態によれば、フォーマット情報取得部３２は、フォーマットシート２００における入力情報の表示位置である矩形領域２０１〜２０４に対し、入力情報の表示を許可するか否かを選択可能なコマンドを取得し、データ記録部３４は、コマンドの入力情報の表示の許可／不許可、および、対応付け部３３での対応付けの結果に応じて、入力項目を書き込む矩形領域１０１〜１０４内に加筆された入力情報をフォーマット情報における表示位置に含めて成形して記録することにより、フォーマットシート２００上の入力予定位置、削除予定位置を手書きコマンドで指定することができる。
【図面の簡単な説明】
【００５４】
【図１】本発明の第１の実施の形態にかかる情報処理システムの構築例を示す模式図である。
【図２】コンピュータのハードウェアの構成図である。
【図３】インプットシートを示す平面図である。
【図４】フォーマットシートを示す平面図である。
【図５】情報編集処理にかかる機能構成を示すブロック図である。
【図６】フォーマットシートの変形例を示す平面図である。
【図７】インプットシートの変形例を示す平面図である。
【図８】フォーマットシートとの対応関係を示すボックスを示す模式図である。
【図９】ボックスに対する記入例を示す模式図である。
【図１０】情報編集処理の流れを示すフローチャートである。
【図１１】記録される情報を示す模式図である。
【図１２】フォーマットシートの変形例を示す平面図である。
【図１３】本発明の第２の実施の形態にかかるコマンドを加筆したフォーマットシートを示す平面図である。
【図１４】コマンドを加筆したフォーマットシートを示す平面図である。
【図１５】コマンドを加筆したフォーマットシートを示す平面図である。
【符号の説明】
【００５５】
１        情報処理装置
３１      入力情報取得部
３２      フォーマット情報取得部
３３      対応付け部
３４      データ記録部
３５      データ表示部
【図１】
0004914393.tif 000002
【図２】
0004914393.tif 000003
【図３】
0004914393.tif 000004
【図４】
0004914393.tif 000005
【図５】
0004914393.tif 000006
【図６】
0004914393.tif 000007
【図７】
0004914393.tif 000008
【図８】
0004914393.tif 000009
【図９】
0004914393.tif 000010
【図１０】
0004914393.tif 000011
【図１１】
0004914393.tif 000012
【図１２】
0004914393.tif 000013
【図１３】
0004914393.tif 000014
【図１４】
0004914393.tif 000015
【図１５】
0004914393.tif 000016